(57)【要約】【課題】キーボードを縦横方向に立掛けて収納し得るキーボードスタンドを提供する。【解決手段】キーボード１８が載置される基台部１２に、該キーボード１８を後方へ傾斜させた状態で立設支持する背面部１４が取付けられる。更に、背面部１４の上方両端部から前方へ突出して、キーボード１８の両側方を抱持する一対の側方支持部１６,１６が設けられる。この側方支持部１６の少なくとも１つは横方向に移動自在に構成され、各側方支持部１６の先端部２６に、キーボード１８の前方への転倒を防止する前方転倒防止部２８が、夫々対向的に内側を指向して所要距離突出して形成される。【選択図】図１
2004355609.tif 000002
【特許請求の範囲】
【請求項１】
キーボード(18)が載置される基台部(12)と、
前記基台部(12)に取付けられて立ち上がり、キーボード(18)を後方へ傾斜させた状態で立設支持する背面部(14)と、
前記背面部(14)の上方両端部から前方へ突出して、該背面部(14)に立掛けられたキーボード(18)を両側方より抱持する一対の側方支持部(16,16)とから構成した
ことを特徴とするキーボードスタンド。
【請求項２】
前記側方支持部(16)の少なくとも一つは、前記背面部(14)に沿って横方向に移動自在にされている請求項１記載のキーボードスタンド。
【請求項３】
前記側方支持部(16,16)の先端部(26,26)には、対向的に内側を指向して所要距離突出した一対の前方転倒防止部(28,28)が夫々形成されている請求項１または２記載のキーボードスタンド。
【請求項４】
前記側方支持部(16)と前方転倒防止部(28)とがなす角度は９５〜１０５度に設定されている請求項１〜３の何れかに記載のキーボードスタンド。
【請求項５】
前記背面部(14)の上端と側方支持部(16)の上端とが形成する面が、キーボードスタンドが置かれる机等の載置面に対して平行になるよう構成された請求項１〜４の何れかに記載のキーボードスタンド。
【発明の詳細な説明】
【技術分野】
【０００１】
この発明は、コンピューターの入力装置であるキーボードを収納するキーボードスタンドに関し、更に詳細にはキーボードの不使用時において、これを立掛けた状態で収納し、作業スペースを効率的に確保し得るキーボードスタンドに関するものである。
【背景技術】
【０００２】
近年のコンピュータ技術の目覚ましい進展によるコンピュータ本体の低価格化に伴い、殊にビジネスユースにおいては、業務の効率化と相俟って１人１台の占有的な使用形態が一般化している。またパーソナルユースにおいても、インターネットを介したメールや検索等、各人の趣向に合わせた使用形態が一般化しつつあり、これに伴ってビジネスユースと同様に占有的に使用されることが当然となってきている。
【０００３】
このように１人１台のコンピュータが普及している状況においては、個々人が占有できる限られたスペース、具体的にはコンピュータが載置されるデスクまたはテーブル等を有効に利用することが重要となる。殊に前記キーボードは、良好な使用感、すなわち良好な文字入力を達成するため、一定以上の大きさのキーおよびキーストローグを確保するための厚み、すなわち一定以上の大きさが必要とされるため、コンピュータの不使用時やマウスのみを使用する場合においては、限られたスペースを圧迫するものでしかかなかった。
【０００４】
このようなキーボードの問題を解消すべく、必要に応じてキーボードを収納する種々のキーボードスタンドが提案されている。例えば、特許文献１に開示されるキーボードスタンドは、前記キーボードの長手方向の背面部を挟持する挟持手段を有しており、該挟持手段によりキーボードを横向きの起立姿勢状態で保持させ、スペースを有効利用できるように構成されている。
【特許文献１】特開２００２‐２７８６７６号公報
【発明の開示】
【発明が解決しようとする課題】
【０００５】
ところが、キーボードスタンドはその形状が横方向に長く設定されているため、キーボードを横向きで起立させた状態で保持しても、有効に使用し得るスペースが充分に確保されているとは言い難かった。すなわち本発明は、前述した従来の技術に内在している前記課題に鑑み、これを好適に解決するべく提案されたものであって、キーボードを縦横方向に立掛けた状態で収納・保持し得るキーボードスタンドを提供することを目的とする。
【課題を解決するための手段】
【０００６】
前述した課題を解決し、所期の目的を達成するため本願の発明に係るキーボードスタンドは、キーボードが載置される基台部と、
前記基台部に取付けられて立ち上がり、キーボードを後方へ傾斜させた状態で立設支持する背面部と、
前記背面部の上方両端部から前方へ突出して、該背面部に立掛けられたキーボードを両側方より抱持する一対の側方支持部とから構成したことを特徴とする。
【発明の効果】
【０００７】
本発明に係るキーボードスタンドによれば、キーボードを縦横方向に立掛け得るので、デスクやテーブル等のスペースに合わせた収納が可能で、机等のスペースを有効に活用し得る。また側方支持部を横方向に移動自在としたので、キーボードの形状に合わせた支持・収納が可能である。更に前方転倒防止部を設けたので、キーボードを縦方向に立て掛けた際の前方への転倒を防止し、安定的な収納が可能である。
【０００８】
そして前記側方支持部と前方転倒防止部とがなす角度を９５〜１０５度に設定することで、キーボードの前方への転倒防止と、基台部へのスムーズな収納を両立した。更に前記背面部の上側と側方支持部の上端とが形成する形成面を、キーボードスタンドが置かれる机等の載置面に対して平行に構成することで、該キーボード等の載置が可能となる効果を奏する。
【発明を実施するための最良の形態】
【０００９】
次に、本発明に係るキーボードスタンドにつき、好適な実施例を挙げて、添付図面を参照しながら以下説明する。本実施例に係るキーボードスタンド１０は、図１(ａ)の斜視図が示すように、キーボード１８が載置される基台部１２と、該キーボード１８の後方から支持する背面部１４と、該背面部１４の上方の両端部に形成された一対の側方支持部１６,１６とから基本的に構成されている。
【００１０】
前記基台部１２は、キーボード１８を安定的に載置し得るように一定の面積を備え、略水平状態を保持する部材であり、その前方には載置される該キーボード１８下端に係支して安定的に収納し得るための係止片２０が、基台部１２に対して略直角に設けられている。前記係止片２０については、前記基台部１２上に後方に傾斜させた状態で収納されるキーボード１８が前方にずり落ちないようにするため、その高さを１０ｍｍ程度に設定することが望ましい。この高さが１０ｍｍ程度を越えると、前記基台部１２上にキーボード１８を収納する際に引っ掛かってしまうため好適な使用には適さない。
【００１１】
更に前記基台部１２の両側部には、所要形状の補強板２２が備えられ、該基台部１２と背面部１４との接合を増強せしめている。なお本実施例においては、前記基台部１２の縦方向の長さ寸法Ｌ(図２参照)が、約９０ｍｍに設定されている。この寸法Ｌについてはスペース確保のため小さい方が好ましいが、一般的な大きさ(幅約４００ｍｍ×奥行約１７０ｍｍ×厚み約２５ｍｍ)のキーボードの安定的な収納を達成するためには、本発明者は９０ｍｍ以上が好ましいと知見したものである。
【００１２】
前記基台部１２に取付けられる背面部１４は、図２の側面図に示すように、該基台部１２となす角θが、８５〜８７度になるよう後方へ向けて傾倒して立設され、キーボード１８を立掛けた際に後方へ傾斜して安定的な状態で支持し得るよう構成されている。また前記背面部１４の基台部１２への取付け位置Ｐは、前記係止片２０から該取付け位置Ｐまでの長さ寸法Ｌ1および該位置Ｐから基台部１２後端までの長さ寸法Ｌ2が２：１の比、すなわち夫々約６０ｍｍおよび３０ｍｍになるよう設定される。
【００１３】
このような比率とすることで、前記背面部１４に後方に傾斜した状態で立設支持されるキーボード１８を自重により安定的に収納し得る。この比率においてＬ1が小さい場合には前記キーボード１８を載置するスペースが少なく使い勝手が悪化し、Ｌ2が小さい場合には該キーボード１８を縦方向に立掛けた場合に後方に転倒してしまう虞がある。
【００１４】
なお図４の正面図に示す如く、背面部１４の両側部を所要形状だけ切り落とすことで、キーボードスタンド１０の軽量化およびデザイン性の向上を図かり得る。この切り落としの形状は殊に限定されず、前記キーボード１８を立掛けた際に、その自重によって撓まない程度の強度が確保されれば、如何なる形状でも採用可能である。また前記背面部１４およびこれが取り付けられる基台部１２の幅(図４における左右方向の寸法)は、２３５ｍｍに設定されている。
【００１５】
このような数値とすることで、一般に市場で販売されている複数種類のキーボードの大部分に対して、汎用的に対応するものとなっている。そして前記背面部１４の高さ(図４における上下方向の寸法)については、前記キーボード１８を縦方向に立掛けた状態においても、安定的に収納可能なように標準的なキーボードの幅寸法(４００ｍｍ)の２／３程度である２６０〜２７０ｍｍに設定されている。この寸法は、前記キーボード１８を縦方向に立掛けた状態で安定的に収納できる数値であれば殊に限定はされず、例えば前記基台部１２の重量を大きくすることで小さい数値とし得る。
【００１６】
前記側方支持部１６,１６は、背面部１４の上方の両端部において前方に突出し、更にその先端部２６には対向的に内側を指向して所要距離突出した一対の前方転倒防止部２８,２８が夫々形成されている。すなわち上方から見た際に、前記一対の側方支持部１６,１６および背面部１４によって、前方に開口した略Ｃ字形状が形成されるようになっており(図３参照)、立掛けた状態で保持されるキーボード１８を両側方および前方への転倒を防止するように構成されている。そして本実施例における前記側方支持部１６,１６は、図３の平面図に示すように、前記背面部１４の両側部から略垂直に約６０ｍｍ突出するよう形成されており、キーボード１８を縦方向に立掛けた際にその両側方より抱持するようになっている。
【００１７】
そして前記側方支持部１６の一方は、前記背面部１４と別体的に形成されたスライド部２４に取付けられ、該背面部１４に沿って、すなわち水平方向に移動自在にスライドする構成となっている。このスライド部２４は、断面コ字状に形成されて前記背面部１４の上端部を挟持するように取り付けられている(図２参照)。従って、図３に示すように、各種のキーボード１８の形状に合わせて、前記一対の側方支持部１６,１６間の幅を任意に変更することができる。
【００１８】
このような構成とすることで、奥行の異なるキーボード１８に対して、該キーボード１８の両側方への転倒を防止し得る。更に本実施例では、背面部１４において、前記スライド部２４の移動によって隠される部分には、対向する２つの側方支持部１６,１６間の距離を表す数直線が配されているので、キーボード１８の現物が無くとも、その数値的データだけで実際の使用状態を再現し、使い勝手を検証し得る。
【００１９】
また前記スライド部２４には、前記背面部１４における端部に至った場合に、それ以上の該背面部１４の幅方向における外側(以下。単に幅方向外側と云う)に向けての移動を規制するストッパ機構２５が設けられている。本実施例において前記ストッパ機構２５は、前記スライド部２４を背面部１４に配置した際に、幅方向外側を指向する方向だけ開放された案内部２５ａと、該背面部１４において該案内部２５ａに対応した端部位置に５ｍｍ程度突出して、該スライド部２４の幅方向外側への移動を規制するストッパ２５ｂとから構成されている。このストッパ機構２５は、前記スライド部２４が背面部１４の端部を越えて幅方向外側へ移動しないように規制し得る構造であれば、如何なるものでも採用可能である。
【００２０】
なお本実施例において前記スライド部２４は、キーボードスタンド１０に相対した位置から見て左側の側方支持部１６が設けられているが、必要に応じて反対側に設けたり、両側に設けたりしてもよい。なおここで前記側方支持部１６は、前記背面部１４に対して上方から被せるように配置されるスライド部２４に取付けられることで、水平方向に移動自在とされているが、例えば該背面部１４の所要高さ位置に案内溝を設け、この溝に対して係合し得る係合手段等を備える等して、水平方向に移動自在となるように構成してもよい。
【００２１】
前記先端部２６には、対向的に内側を指向して所要距離突出した前方転倒防止部２８が夫々形成されている。すなわち本実施例に係る前方転倒防止部２８,２８は、前記スライド部２４に設けられて移動自在に構成された前記側方支持部１６に形成される前方転倒防止部２８の長さ寸法ｌ2と、前記背面部１４に固定される側方支持部１６に形成される前方転倒支持部２８の長さ寸法ｌ1とは、前記キーボード１８のキーボードスタンド１０への収納を容易に行ない得るように異なった長さとされ、本実施例においてはｌ2＞ｌ1に設定されている(詳細は後述［００２６］)。
【００２２】
また図３に示すように、前記側方支持部１６と前方転倒防止部２８とがなす角γは、前記キーボード１８をキーボードスタンド１０に収納する際に邪魔にならず、かつ該前方転倒防止部２８の前方への突出が前記基台部１２上に収まり、スペースを有効に使用し得るよう、９５〜１０５度に設定することが望ましい。この角度は、前記前方転倒防止部２８の長さにも関係するが、基本的に該前方転倒防止部２８の役割は果たされる約９０度以上であれば採用し得る。
【００２３】
更に前記側方支持部１６および前方転倒防止部２８については、夫々の上端面１６ａおよび２８ａと、前記背面部１４の上端面１４ａとが、キーボードスタンドが置かれる机等の載置面に対して平行になるよう構成されている。すなわち前記背面部１４、側方支持部１６および前方転倒防止部２８の上端が形成する形成面Ｓが、水平となるようにされている。これにより図１(ｂ)に示すように、前記形成面Ｓにキーボード１８や本等を一時的に載置することが可能となり、机等のスペース更に有効活用できる。
【００２４】
(実施例の作用)
次に、本実施例に係るキーボードスタンド１０の作用について、以下に説明する。先ず、キーボード１８を横方向にしてキーボードスタンド１０に立掛ける際には、図２に示すように、キーボード１８の長手方向の側部１８ａの一方を前記基台部１２に載置させると共に、前記側部１８ａと対向する他方の側部１８ａを前記背面部１４に当接させる。この時、前記背面部１４と基台部１２とがなす角度θが８５度〜８７度に設定されているので、前記キーボード１８は、キーボードスタンド１０に安定的に立掛けられる。
【００２５】
また机等のスペースが狭い場合等の理由から、前記キーボード１８を縦方向に立掛ける際には、前記側部１８ａを背面部１４の固定された側方支持部１６と前記転倒防止部２８とによって囲まれている領域、すなわち前記基台部１２上に臨ませる。このように、前記キーボード１８を縦方向に立掛けてキーボードースタンド１０に収納する場合を、右利きの使用者が自分の利き手側のスペースを確保しようとして、キーボードスタンド１０を使用者の左手側に配置するといった条件において、図５を用いて説明する。この際、前記側方支持部１６の一方が取り付けられているスライド部２４は、前記背面部１４における最も幅方向外側に配置されているとする(図５(ａ)参照)。なお使用者からみて近い側を手元側、遠い側を奥側と以後呼称する。
【００２６】
前記キーボードスタンド１０に収納されるキーボード１８は、先ず該キーボードスタンド１０の外側から、使用者からみて奥に位置する側方支持部１６および前方転倒防止部２８と、前記背面部１４とによって画成される空間Ｓ１に、一方(奥側)の長手方向の側部１８ａを導入する(図５(ｂ)参照)。この場合、前記一対の側方支持部１６,１６は手前側の長さがｌ2であり、奥側がｌ1となっている。 そしてｌ2＞ｌ1に設定されているため、奥側の該側方支持部１６は前方に対してあまり突出しておらず(［００２１］参照)、また該前方転倒防止部２８と側方支持部１６とがなす角度γが９５〜１０５度の範囲で設定されているので、前記キーボード１８における一方(奥側)の長手方向の側部１８ａは容易に前記空間Ｓ１に導くことができる。
【００２７】
このようにして前記基台部１２上に導入されたキーボード１８は、手前側に所要距離引き戻されて、該基台部１２の略中心部に位置するように調整される(図５(ｃ)参照)。そしてキーボード１８が置かれた位置に合わせてスライド部２４を移動させ(図３参照)、該キーボード１８の短手方向の側部１８ｂを前記基台部１２に載置させると共に、後方に傾斜させてその背部１８ｃ(図２参照)を前記背面部１４に当接させる。このような一連の手順の実施によって前記キーボード１８は、キーボードスタンド１０に収納される。
【００２８】
このように前記側方支持部１６の少なくとも一つを、前記背面部１４に沿って横方向に移動自在としたので、キーボード１８の形状に合わせて側方を支持することができる。更に、該側方支持部１６に前記前方転倒防止部２８が設けられているので、キーボード１８が前方に転倒するのを防止することが可能となる。
【００２９】
更に図１(ａ)に示すように、キーボードスタンド１０の上部に形成される形成面Ｓに、キーボード１８や本等を一時的に載置することもでき、机等のスペースを広く活用し得る。
【図面の簡単な説明】
【００３０】
【図１】(ａ)は、本発明の好適な実施例に係るキーボードスタンドに対して、キーボードを縦方向に立掛けた状態を示す斜視図であり、(ｂ)は、実施例に係るキーボードスタンドの上面にキーボードを載置した状態を示す斜視図である。
【図２】実施例に係るキーボードスタンドの側面図である。
【図３】実施例に係るキーボードスタンドの平面図である。
【図４】実施例に係るキーボードスタンドにキーボードを横方向に立掛けた状態を示す正面図である。
【図５】実施例に係るキーボードスタンドに対して、キーボードを縦方向に立掛けて収納するに際して、該キーボードを収納させる手順の一例を示す状態図である。
【符号の説明】
【００３１】
１０  キーボードスタンド
１２  基台部
１４  背面部
１６  側方支持部
１８  キーボード
２６  先端部
２８  前方転倒防止部
【図１】
2004355609.tif 000003
【図２】
2004355609.tif 000004
【図３】
2004355609.tif 000005
【図４】
2004355609.tif 000006
【図５】
2004355609.tif 000007